(57)【特許請求の範囲】
【請求項１】
横断歩道における渡り始めおよび渡り終わりの両端それぞれに少なくとも１つずつ設置された、前記両端の少なくとも相互判別が可能な端判別情報を各々が無線送信する複数の横断歩道ＲＦＩＤタグ；および
音声信号が入力されて音声を発する、耳に装着される音声発生部と、
前記音声発生部に音声信号を入力する音声信号入力部と、
ＲＦＩＤタグと無線通信する通信部と、
前記通信部を介して前記横断歩道ＲＦＩＤタグから前記端判別情報を取得する端判別情報取得部と、
前記端判別情報取得部によって前記端判別情報が取得された場合に前記音声の音量を抑制し、前記横断歩道の両端のうちその端判別情報が取得された横断歩道ＲＦＩＤタグが設置されている端とは逆の端に設置されている横断歩道ＲＦＩＤタグから端判別情報が前記端判別情報取得部によって取得されるまで音量抑制を維持する音量抑制部とを備えた携帯端末装置；
を備え、
前記携帯端末装置が、この携帯端末装置の携帯者の歩行を検知する歩行検知部を備えたものであり、
前記音量抑制部は、前記端判別情報取得部によって前記端判別情報が取得された場合に、前記歩行検知部によって歩行が検知されたことを契機として前記音声の音量抑制を開始するものであることを特徴とする音量抑制システム。
【請求項２】
この音量抑制システムが、前記横断歩道とは別の場所に設置された、前記複数の横断歩道ＲＦＩＤタグとの少なくとも区別が可能な区別情報を無線送信する別ＲＦＩＤタグを備えたものであり、
前記携帯端末装置が、前記通信部を介して前記別ＲＦＩＤタグから前記区別情報を取得する区別情報取得部を備えたものであり、
前記音量抑制部が、音量抑制を維持している期間中に前記区別情報取得部によって前記区別情報が取得されると、前記逆の端に設置されている横断歩道ＲＦＩＤタグから端判別情報が前記端判別情報取得部によって取得されるのを待たずに音量抑制を解除するものであることを特徴とする請求項１記載の音量抑制システム。
【請求項３】
音声信号が入力されて音声を発する、耳に装着される音声発生部と、
前記音声発生部に音声信号を入力する音声信号入力部と、
ＲＦＩＤタグと無線通信する通信部と、
横断歩道における渡り始めおよび渡り終わりの両端それぞれに少なくとも１つずつ設置された、前記両端のどちらに設置されているかが少なくとも判別可能な端判別情報を各々が無線送信する複数の横断歩道ＲＦＩＤタグから前記通信部を介して前記端判別情報を取得する端判別情報取得部と、
前記端判別情報取得部によって前記端判別情報が取得された場合に前記音声の音量を抑制し、前記横断歩道の両端のうちその端判別情報が取得された横断歩道ＲＦＩＤタグが設置されている端とは逆の端に設置されている横断歩道ＲＦＩＤタグから端判別情報が前記端判別情報取得部によって取得されるまで音量抑制を維持する音量抑制部とを備えた携帯端末装置であって、
この携帯端末装置の携帯者の歩行を検知する歩行検知部を更に備え、
前記音量抑制部は、前記端判別情報取得部によって前記端判別情報が取得された場合に、前記歩行検知部によって歩行が検知されたことを契機として前記音声の音量抑制を開始するものであることを特徴とする携帯端末装置。
【請求項４】
前記横断歩道とは別の場所に設置された、前記複数の横断歩道ＲＦＩＤタグとの少なくとも区別が可能な区別情報を無線送信する別ＲＦＩＤタグから前記通信部を介して前記区別情報を取得する区別情報取得部を備え、
前記音量抑制部が、音量抑制を維持している期間中に前記区別情報取得部によって前記区別情報が取得されると、前記逆の端に設置されている横断歩道ＲＦＩＤタグから端判別情報が前記端判別情報取得部によって取得されるのを待たずに音量抑制を解除するものであることを特徴とする請求項３記載の携帯端末装置。
【発明の詳細な説明】
【技術分野】
【０００１】
本発明は、音量抑制システムおよび携帯端末装置に関する。
【背景技術】
【０００２】
携帯電話に代表される携帯端末装置には、音楽再生機能を備えたタイプのものがあり、携帯端末装置を携帯するユーザは、ヘッドホンやイヤホンを耳に装着し、屋外でも音楽を楽しむことができる。しかし、ユーザがヘッドホン等で音楽を聴きながら屋外を歩くとき、横断歩道も音楽を聴きながら渡ってしまう場合があり、この場合に再生の音量を抑え、接近する自動車の音やクラクションの音を聞こえやすくすることが望まれている。
【０００３】
音量を制御するシステムとして、例えば、ユーザが携帯端末機器を用いてテレビ放送を視聴するためのシステムにおいて、この携帯端末機器が全地球測位システム（ＧＰＳ）衛星からの電波によって位置を判断し、公共の場にあるときには音量を抑止するといったシステムが知られている（例えば、特許文献１参照。）。
【特許文献１】特開２００６−２５４０１２号公報
【発明の開示】
【発明が解決しようとする課題】
【０００４】
しかしながら、このシステムでは、ＧＰＳの情報によって大まかな位置を判断するので、横断歩道だけでなく周辺の領域を含む広い領域で音量が抑止されてしまう。
【０００５】
上記事情に鑑み、本明細書に記載する実施形態は、横断歩道の領域に合わせて音量を低下させることができる音量抑制システムおよび携帯端末装置を提供する。
【課題を解決するための手段】
【０００６】
本明細書に記載する音量抑制システムの基本形態は、
横断歩道における渡り始めおよび渡り終わりの両端それぞれに少なくとも１つずつ設置された、上記両端の少なくとも相互判別が可能な端判別情報を各々が無線送信する複数の横断歩道ＲＦＩＤ（Ｒａｄｉｏ  Ｆｒｅｑｕｅｎｃｙ  ＩＤｅｎｔｉｆｉｃａｔｉｏｎ）タグ；および
音声信号が入力されて音声を発する、耳に装着される音声発生部と、
上記音声発生部に音声信号を入力する音声信号入力部と、
ＲＦＩＤタグと無線通信する通信部と、
上記通信部を介して上記横断歩道ＲＦＩＤタグから上記端判別情報を取得する端判別情報取得部と、
上記端判別情報取得部によって上記端判別情報が取得された場合に上記音声の音量を抑制し、上記横断歩道の両端のうちその端判別情報が取得された横断歩道ＲＦＩＤタグが設置されている端とは逆の端に設置されている横断歩道ＲＦＩＤタグから端判別情報が上記端判別情報取得部によって取得されるまで音量抑制を維持する音量抑制部とを備えた携帯端末装置；
を備えている。
【０００７】
また、本明細書に記載する携帯端末装置の基本形態は、音声信号が入力されて音声を発する、耳に装着される音声発生部と、
上記音声発生部に音声信号を入力する音声信号入力部と、
ＲＦＩＤタグと無線通信する通信部と、
横断歩道における渡り始めおよび渡り終わりの両端それぞれに少なくとも１つずつ設置された、上記両端の少なくとも相互判別が可能な端判別情報を各々が無線送信する複数の横断歩道ＲＦＩＤタグから上記通信部を介して上記端判別情報を取得する端判別情報取得部と、
上記端判別情報取得部によって上記端判別情報が取得された場合に上記音声の音量を抑制し、上記横断歩道の両端のうちその端判別情報が取得された横断歩道ＲＦＩＤタグが設置されている端とは逆の端に設置されている横断歩道ＲＦＩＤタグから端判別情報が上記端判別情報取得部によって取得されるまで音量抑制を維持する音量抑制部とを備えている。
【０００８】
上記音量抑制システムおよび携帯端末装置の基本形態によれば、横断歩道の両端のうち一方の端に設置された横断歩道ＲＦＩＤタグから端判別情報を取得すると音量を抑制し、他方の端に設置された横断歩道ＲＦＩＤタグから端判別情報を取得するまで音量の抑制が維持されるので、横断歩道の領域に合わせて音楽の音量が低下する。
【発明の効果】
【０００９】
以上説明したように、開示の音量抑制システムおよび携帯端末装置によれば、横断歩道の領域に合わせて音量を低下させることができる。
【発明を実施するための最良の形態】
【００１０】
上記説明した音量抑制システムおよび携帯端末装置に対する具体的な実施形態を、以下図面を参照して説明する。
【００１１】
図１は、音量抑制システムの具体的な一実施形態を示す概観図である。
【００１２】
図１に示す音量抑制システム１は、交差点の各所に配置されたＲＦＩＤタグ２１，２２，２３，３１，３２，３３，３４，３５，３６，３７，３８，３９と、ユーザに携帯される携帯電話１０とを有している。ここで、携帯電話１０は、上述した基本形態における携帯端末装置の一例に相当する。
【００１３】
ＲＦＩＤタグ２１〜３９のそれぞれは、携帯電話１０が近接するとこの携帯電話１０と無線で通信し、内部に記憶された情報を携帯電話１０に送信するように構成されている。図１には、ＲＦＩＤタグ２１〜３９のそれぞれが携帯電話１０と通信可能な範囲が一点鎖線で示されている。ＲＦＩＤタグ２１〜３９の詳細な構成については後述する。
【００１４】
図１に示す交差点には、第１の横断歩道Ｃ１、第２の横断歩道Ｃ２、および第３の横断歩道Ｃ３が設けられている。ＲＦＩＤタグ２１〜３９のうち第１のＲＦＩＤタグ２１および第２のＲＦＩＤタグ２２は、第１の横断歩道Ｃ１における渡り始めおよび渡り終わりの両端それぞれに１つずつ設置されている。より詳細には、第１のＲＦＩＤタグ２１および第２のＲＦＩＤタグ２２は、第１の横断歩道Ｃ１の両端に配置された信号機５１，５２の支柱に取り付けられている。上記第２のＲＦＩＤタグ２２はまた、第２の横断歩道Ｃ２における両端のうち一方の端に設置されており、第２の横断歩道Ｃ２における他端には、第３のＲＦＩＤタグ２３が設置されている。より詳細には、第３のＲＦＩＤタグ２３は地面に設置されている。また、この第３のＲＦＩＤタグ２３と第１のＲＦＩＤタグ２１は、第３の横断歩道Ｃ３における両端に設置されている。
【００１５】
また、ＲＦＩＤタグ２１〜３９のうち、上記３つのＲＦＩＤタグ２１，２２，２３を除く他のＲＦＩＤタグ３１〜３９は、上記横断歩道Ｃ１，Ｃ２，Ｃ３とは別の場所に設置されている。横断歩道Ｃ１，Ｃ２，Ｃ３とは別の場所に設置されているＲＦＩＤタグ３１〜３９を別ＲＦＩＤタグ３１〜３９と称する。別ＲＦＩＤタグ３１〜３９は、図１に示す交差点の外に配置されている、
ここで、第１のＲＦＩＤタグ２１、第２のＲＦＩＤタグ２２、および第３のＲＦＩＤタグ２３のそれぞれは、上述した基本形態における横断歩道ＲＦＩＤタグの一例に相当する。
【００１６】
各ＲＦＩＤタグにはＡ〜Ｚのいずれかの値が付与されている。値Ａ〜ＺのうちＡ〜Ｅは横断歩道、より詳細には横断歩道の端を表し、Ｆ〜Ｚは横断歩道以外を表している。Ａ〜Ｅのそれぞれは、グループを表していて、同じ値のグループに属するＲＦＩＤタグは横断歩道の同じ端に設置されている。図１における各ＲＦＩＤタグの符号Ａ，Ｂ，Ｃ，Ｚは、ＲＦＩＤタグに記憶された値を表している。第１のＲＦＩＤタグ２１、第２のＲＦＩＤタグ２２、および第３のＲＦＩＤタグ２３に記憶された端判別情報としての値Ａ，Ｂ，Ｃによって横断歩道の両端の相互判別が可能となっている。例えば、第１のＲＦＩＤタグ２１に記憶された値Ａと、第２のＲＦＩＤタグ２２に記憶された値Ｂとによって、第１の横断歩道Ｃ１の端が相互に判別できる。また、第２のＲＦＩＤタグ２２に記憶された値Ｂと、第３のＲＦＩＤタグ２３に記憶された値Ｃとによって、第２の横断歩道Ｃ２の端が相互に判別できる。また、第３のＲＦＩＤタグ２３に記憶された値Ｃと、第１のＲＦＩＤタグ２１に記憶された値Ａとによって、第３の横断歩道Ｃ３の端が相互に判別できる。
【００１７】
別ＲＦＩＤタグ３１〜３９は、交差点の外に配置されており、より詳細には、横断歩道Ｃ１，Ｃ２，Ｃ３、および横断歩道Ｃ１，Ｃ２，Ｃ３の両端を取り囲む領域に配置されている。別ＲＦＩＤタグ３１〜３９には区別情報としての値Ｚが記憶されており、横断歩道の両端に配置された第１のＲＦＩＤタグ２１、第２のＲＦＩＤタグ２２、および第３のＲＦＩＤタグ２３との区別が可能となっている。
【００１８】
携帯電話１０は、電話機能に加え音楽再生機能を有しており、携帯電話１０を携帯する図示しないユーザはヘッドホン１０１を耳に装着して音楽を聞くことができる。携帯電話１０は、ユーザが横断歩道を渡るのに伴い、横断歩道に沿って移動することとなる。
【００１９】
図２は、図１に示す交差点音量抑制システムの構成を示すブロック図である。
【００２０】
図２には、ＲＦＩＤタグ２１〜３９のうち代表として第１のＲＦＩＤタグ２１の構成が示されているが、図１に示すＲＦＩＤタグ２１〜３９の電気的構成はすべて同じであり、記憶された情報が異なるのみである。また、図２には、通信網６０も示されている。
【００２１】
携帯電話１０は、携帯通信部１１１、音声処理部１１２、表示部１１３、操作部１１４、記憶部１１５、制御部１１６、近距離通信部１１８、音楽再生部１１９、歩数計１２１、およびヘッドホン１０１を備えている。携帯通信部１１１、音声処理部１１２、表示部１１３、操作部１１４、記憶部１１５、制御部１１６、近距離通信部１１８、音楽再生部１１９、および歩数計１２１は、バス１２２によって互いに接続されている。ここで、近距離通信部１１８は、上述した基本形態における通信部の一例に相当し、ヘッドホン１０１は上述した基本形態における音声発生部の一例に相当する。また、音声処理部１１２は上述した基本形態における音声信号入力部の一例に相当する。
【００２２】
音声処理部１１２は、マイクロホン１０３でピックアップされた音声信号を処理するとともに、ユーザに向けて音声を出力するスピーカ１０２を駆動する音声信号を生成する。また、音声処理部１１２は、音楽再生部１１９で生成された再生音楽情報に応じた音声信号も生成する。携帯電話１０にヘッドホン１０１が接続されている場合、音声処理部１１２は生成した音声信号を、制御部１１６によって設定された音量でヘッドホン１０１に入力する。
【００２３】
ヘッドホン１０１は、ユーザの耳に装着されて使用され、音声処理部１１２から音声信号が入力されて音声を発する。
【００２４】
携帯通信部１１１は、アンテナを介して通信網６０と通信することによって、音声処理部１１２で処理される通話の音声信号の送受信や、音楽情報のダウンロードを行う。ダウンロードされた音楽情報は記憶部１１５に記憶される。
【００２５】
音楽再生部１１９は、記憶部１１５に記憶された音楽情報の伸張等の再生処理を行い再生音楽情報を生成し、再生音楽情報を音声処理部１１２に供給する。携帯通信部１１１によってダウンロードされ記憶部１１５に記憶された音楽情報の音楽は、音楽再生部１１９によって再生処理されて再生音楽情報として音声処理部１１２に供給され、音声処理部１１２からヘッドホン１０１に入力されることによって、ユーザに届く。
【００２６】
表示部１１３は、各種情報を画面に表示する。操作部１１４は、ユーザによる操作を受け付け、操作に応じた情報を出力する。
【００２７】
制御部１１６は、各種プログラムを実行する機能を有し、携帯電話１０全体を制御している。記憶部１１５は、例えばＲＯＭ、ＲＡＭ、および不揮発メモリで構成され、制御部１１６で実行されることで携帯電話１０の動作を制御する各種プログラムやそれら各種プログラムの実行に必要な各種定数、および音楽情報が記憶されている。制御部１１６は、記憶部１１５に記憶されたプログラムを記憶部１１５を作業領域として使いながら実行する。制御部１１６には、プログラムとして音量抑制プログラムが記憶されている。音量抑制プログラムの詳細については後述する。
【００２８】
近距離通信部１１８は、携帯通信部１１１に比べ近距離での無線通信を行うブロックであり、ＲＦＩＤタグ２１〜３９と無線で通信する。近距離通信部１１８による無線通信の方式としては、例えば、数メートル〜数十メートルの距離範囲で通信能力を有する方式が採用される。
【００２９】
歩数計１２１は、携帯電話１０の振動を測定することによって、ユーザの歩数を計る。
【００３０】
通信網６０は、携帯電話１０の携帯通信部１１と無線で通信する基地局６１、各種の音楽情報が格納されたサーバ６３、および、基地局６１とサーバ６３とを接続する基地局通信網６２を備えている。携帯電話１０の制御部１１６は、携帯通信部１１１に基地局６１と通信をさせることによって、サーバ６３から音楽情報をダウンロードし、記憶部１１５に記憶する。また記憶部１１５に保存された音量抑制プログラムを実行することによって、音量抑制機能を実現する。
【００３１】
ＲＦＩＤタグ２１は例えばタグ状の形態を有しており、通信部２１１、制御部２１２、および記憶部２１３を備えている。通信部２１１は、アンテナ２１１ａを介して携帯電話１０の近距離通信部１１８と近距離での無線通信を行う。通信可能な距離は数メートルであり、通信可能範囲はアンテナ２１１ａの向きによって調整することができる。制御部２１２は、各種プログラムを実行する機能を有し、ＲＦＩＤタグ２１を制御している。記憶部２１３は、例えばＲＯＭ、ＲＡＭ、および不揮発メモリで構成され、制御部２１２で実行される各種プログラムやそれら各種プログラムの実行に必要な各種定数、変数が記憶されている。また、記憶部２１３には端判別情報Ａ，Ｂ，Ｃおよび区別情報Ｚのいずれかの情報が記憶されている。第１のＲＦＩＤタグ２１の記憶部２１３には端判別情報Ａが記憶され、第２のＲＦＩＤタグ２２の記憶部には端判別情報Ｂが記憶され、第３のＲＦＩＤタグ２２の記憶部には端判別情報Ｃが記憶され、別ＲＦＩＤタグ３１〜３９の記憶部には、区別情報Ｚが記憶されている。
【００３２】
ＲＦＩＤタグ２１の通信部２１１は、図１に一点鎖線で示す可能範囲に携帯電話１０が入ると通信可能となる。制御部２１２は、通信部２２１が通信可能状態になると、記憶部２１３に記憶された情報を携帯電話１０に送信する。このようにして、携帯電話１０は、その位置に応じてＲＦＩＤタグ２１〜３９から端判別情報を受信する。
【００３３】
図３は、図２に示す携帯電話における音声抑制処理を説明するフローチャートである。
【００３４】
図２に示す音声抑制処理は繰り返し実行される。音声抑制処理において、制御部１１６は、近距離通信部１１８がＲＦＩＤタグから情報を受信したか否かを判定する（ステップＳ１１）。ＲＦＩＤタグから情報を受信するまでこのステップＳ１１の処理を繰り返す（ステップＳ１１でＮｏ）。
【００３５】
ユーザに携帯されヘッドホン１０１から音声を出力している携帯電話１０は、例えば図１に示す、第１の横断歩道Ｃ１の一方の端に来ると、第１の横断歩道Ｃ１の一方の端に設置された第１のＲＦＩＤタグ２１の通信可能範囲に入る。これにより、近距離通信部１１８が第１のＲＦＩＤタグ２１から端判別情報Ａを受信する。制御部１１６は、上記ステップＳ１１でＲＦＩＤタグから情報を受信した場合（ステップＳ１１でＹｅｓ）、交差点識別判定を行う（ステップＳ１２）。より詳細には、制御部１１６は、近距離通信部１１８で受信した情報が、別ＲＦＩＤタグからの区別情報Ｚである場合には（Ｓ１２で交差点外）交差点外、つまりユーザが横断歩道の端にいないとみなして、後述するステップＳ２４の処理を行う。この一方、近距離通信部１１８で受信した情報が、Ａ〜Ｅのいずれかの端判別情報である場合には（Ｓ１２で交差点内）、ユーザが横断歩道の端にいるとして、受信した端判別情報を横断開始情報として記憶部１１５に記憶する（ステップＳ１３）。例えば、図１に示す位置では、第１のＲＦＩＤタグ２１から受信した端判別情報Ａが記憶部１１５に記憶される。この後、制御部１１６は、歩数計１２１の値を、２秒あけて（ステップＳ１５）２回読込み（ステップＳ１４、Ｓ１６）、読み込んだ歩数計の値の差分を計算する（ステップＳ１７）。計算した差分が２歩未満の場合には（Ｓ１８で’２歩未満’）、ユーザがまだ横断歩道を渡り始めていないとして上記ステップＳ１４からステップＳ１８までの処理が繰り返される。この一方、差分が２歩以上の場合には（Ｓ１８で’２歩以上’）、歩行が検知された、すなわちユーザが横断歩道を渡り始めたとして、制御部１１６が、音楽再生部１１９に再生する音声の音量抑制を開始する（ステップＳ１９）。図３に示す例では、音楽再生部１１９で再生される音量は抑止される、すなわちレベル０になる。また、制御部１１６は表示部１１３に「横断抑止中」の文字を表示させ、音量の抑制が横断歩道を渡っていることにより実施されていることをユーザに通知する（ステップＳ２０）。このようにして、端判別情報が取得された場合に音声の音量が抑制される。また、歩行の検知により音量の抑制が開始するので、ユーザは、信号待ちの間は、抑制されない音量で音楽を聞くことができる。
【００３６】
この後、制御部１１６は、近距離通信部１１８がＲＦＩＤタグから情報を受信したか否かを判定する（ステップＳ２２）。上記ステップＳ２２でＲＦＩＤタグから情報を受信した場合（ステップＳ２２でＹｅｓ）、制御部１１６は、交差点識別判定を行う（ステップＳ２３）。このステップでは、近距離通信部１１８で受信した情報が、別ＲＦＩＤタグからの区別情報である場合には（Ｓ２２で交差点外）、交差点外、つまり横断歩道の端にユーザがいないとみなして、後述するステップＳ２４の処理に移る。この一方、近距離通信部１１８で受信した情報が、第１のＲＦＩＤタグ２１、第２のＲＦＩＤタグ２２、および第３のＲＦＩＤタグ２３のいずれかからの端判別情報である場合（Ｓ２２で交差点内）、制御部１１６は、端判別を行う（ステップＳ２３）。具体的には、上記ステップＳ２１で得られた端判別情報と上記ステップＳ１３で記録した端判別情報とを比較する。例えば、携帯電話１０を携帯するユーザが、第１の横断歩道Ｃ１を渡りきると、携帯電話１０は、第１の横断歩道Ｃ１の他方の端に設置された第２のＲＦＩＤタグ２２の通信可能範囲に入り、近距離通信部１１８が第１のＲＦＩＤタグ２２から端判別情報Ｂを受信する。この結果、ステップＳ２３では、ステップＳ２１で得られた第２のＲＦＩＤタグ２２の端判別情報Ｂと、上記ステップＳ１３で記録した第１のＲＦＩＤタグ２１の端判別情報Ａとが異なることとなる。この場合、制御部１１６は音楽再生部１１９に再生する音声の音量抑制を解除させる（ステップＳ１４）。この結果、ユーザが横断歩道を渡りきると、ヘッドホン１０１から出力される音声のレベルが横断開始前の状態に復帰する。
【００３７】
ここで、上記ステップＳ１２およびステップＳ２１のＲＦＩＤタグ情報受信処理を実行する制御部１１６が、上述した基本形態における音声発生部の一例に相当し、音楽再生部１１９は上述した基本形態における端判別情報取得部の一例に相当し、上記ステップＳ１９およびステップＳ２３のＲＦＩＤタグ情報受信処理を実行する制御部１１６が、上述した基本形態における音声発生部の一例に相当し、音楽再生部１１９は上述した基本形態における音量抑制部の一例に相当する。また、上記ステップＳ１４からステップＳ１８までの処理を実行する制御部１１６および歩数計１２１の組合せが、上述した基本形態における歩行検知部の一例に相当する。また、上記ステップＳ１２およびステップＳ２２の処理を実行する制御部１１６が、上述した基本形態における区別情報取得部の一例に相当する。
【００３８】
このようにして、第１の横断歩道Ｃ１の両端のうち一方の端に設置された第１のＲＦＩＤタグ２１から端判別情報Ａを取得すると音量が抑制され、他方の端に設置された第２のＲＦＩＤタグ２２から端判別情報Ｂを取得するまで音量の抑制が維持される。したがって、音量の低下が、第１の横断歩道の領域に合わせられる。
【００３９】
また、上述したステップＳ１２およびステップＳ２２における交差点識別判定の結果、近距離通信部１１８で受信した情報が、別ＲＦＩＤタグからの区別情報Ｚである場合には、交差点外、つまりユーザが横断歩道の端にいないとみなして、音量抑制が解除される（ステップＳ２４）。例えば、ユーザが横断歩道脇の歩道を歩いている途中で、横断歩道の端を通過することにより、第１のＲＦＩＤタグ２１から端判別情報Ａを受信した場合でも、別ＲＦＩＤタグからの区別情報Ｚを受信することにより、音量抑制が維持されることなく解放される。
【００４０】
なお、具体的な各実施形態に対する上記説明では、「課題を解決するための手段」で説明した基本形態における携帯端末装置の一例として携帯電話が示されているが、この携帯端末装置は、携帯電話以外にも携帯音楽再生装置であってもよく、あるいは携帯型情報処理装置であってもよい。
【００４１】
また、具体的な各実施形態に対する上記説明では、「課題を解決するための手段」で説明した基本形態における音声信号入力部の一例として音楽再生部が示されているが、この音声信号入力部は、音楽再生部以外にもラジオやテレビの音声を再生する機能ブロックであってもよく、あるいは通話音を入力する機能ブロックであってもよい。
【００４２】
また、具体的な各実施形態に対する上記説明では、「課題を解決するための手段」で説明した基本形態における音量の抑制の一例として音量を抑止する処理が示されているが、この音量の抑制は、音量を抑止する処理以外にも音量を低下させる処理であってもよい。
【００４３】
また、具体的な各実施形態に対する上記説明では、「課題を解決するための手段」で説明した基本形態における音声発生部の一例としてヘッドホンが示されているが、この音声発生部は、ヘッドホン以外にもイヤホンであってもよい。
【００４４】
また、具体的な各実施形態に対する上記説明では、「課題を解決するための手段」で説明した基本形態における「音声の音量を抑制する」音量抑制部の一例として携帯端末の本体に内蔵された制御部１１６が示されているが、この音量抑制部は、例えば、ヘッドホンに内蔵されていてもよい。
【図面の簡単な説明】
【００４５】
【図１】音量抑制システムの具体的な一実施形態を示す概観図である。
【図２】図１に示す交差点音量抑制システムの構成を示すブロック図である。
【図３】図２に示す携帯電話における音声抑制処理を説明するフローチャートである。
【符号の説明】
【００４６】
１    音量抑制システム
１０    携帯電話（携帯端末装置）
１１    携帯通信部
１０１    ヘッドホン（音声発生部）
１１１    携帯通信部
１１２    音声処理部（音声信号入力部）
１１５    記憶部
１１６    制御部（端判別情報取得部、音量抑制部、歩行検知部、区別情報取得部）
１１８    近距離通信部（通信部）
１１９    音楽再生部
１２１    歩数計（制御部と合わせて歩行検知部）
Ａ，Ｂ，Ｃ    端判別情報
Ｃ１，Ｃ２，Ｃ３    横断歩道
２１〜２２  ＲＦＩＤタグ（横断歩道ＲＦＩＤタグ）
３１〜３９    別ＲＦＩＤタグ
Ｚ    区別情報
【図１】
0005050950.tif 000002
【図２】
0005050950.tif 000003
【図３】
0005050950.tif 000004